(57)【要約】【課題】車両販売時の売掛情報処理及び買掛情報処理の入力支援を容易且つ正確に行うことができる、売掛情報または買掛情報運用支援技術を提供する。【解決手段】販売する車両の車両属性情報に関連付けられた、受取金額情報を含む売掛情報、並びに支払金額情報を含む買掛情報を、当該売掛情報に関連付けられた受取金額変更情報または当該買掛情報に関連付けられた支払金額変更情報を取得し、前記受取金額変更情報または支払金額変更情報に基づいて、当該売掛情報または当該買掛情報を更新するようにした。【選択図】　図２
2004030508.tif 000002
【特許請求の範囲】
【請求項１】
販売する車両の車両属性情報に関連付けられた、受取金額情報を含む売掛情報、並びに支払金額情報を含む買掛情報を格納したデータベースに接続可能なコンピュータが実行する方法であって、
当該売掛情報に関連付けられた受取金額変更情報または当該買掛情報に関連付けられた支払金額変更情報を取得するステップと、
前記受取金額変更情報または前記支払金額変更情報に基づいて、当該売掛情報または当該買掛情報を更新するステップとをコンピュータが実行する、売掛情報または買掛情報運用支援方法。
【請求項２】
販売する車両の車両属性情報に関連付けられた、受取金額情報を含む売掛情報、並びに支払金額情報を含む買掛情報を格納したデータベースに接続可能なコンピュータに実行させるプログラムであって、
当該売掛情報に関連付けられた受取金額変更情報または当該買掛情報に関連付けられた支払金額変更情報を取得するステップと、
前記受取金額変更情報または前記支払金額変更情報に基づいて、当該売掛情報または当該買掛情報を更新するステップとをコンピュータに実行させる、コンピュータで実行可能な売掛情報または買掛情報運用支援プログラム。
【請求項３】
販売する車両の車両属性情報に関連付けられた、受取金額情報を含む売掛情報、並びに支払金額情報を含む買掛情報を格納したデータベースに接続可能な売掛情報または買掛情報運用支援装置であって、
当該売掛情報に関連付けられた受取金額変更情報または当該買掛情報に関連付けられた支払金額変更情報を取得するための金額変更情報取得手段と、
前記受取金額変更情報または支払金額変更情報に基づいて、当該売掛情報または当該買掛情報を更新するための売掛情報または買掛情報更新手段とからなる、売掛情報または買掛情報運用支援装置。
【発明の詳細な説明】
【０００１】
【発明の属する技術分野】
本発明は売掛情報または買掛情報運用支援技術に関するものである。
【０００２】
【従来の技術】
一般に、車両等の販売業者において、その車両等の商品を仕入れ時の金額と販売時の金額とを記録して、売り上げの管理を行うことがある。
【０００３】
車両販売会社がオークションに自社保有車両を出品したり、或いは自社の顧客が購入を希望する車両をオークションで落札した場合には、オークション運営会社から例えば月１回程度の定期的にオークション売掛情報または買掛情報が送られてくる。
【０００４】
このオークション売掛情報または買掛情報とは、オークション運営会社から車両販売会社へ送付される書類であり、各車両販売会社毎に出品・落札車両の取引明細が記載されている。
【０００５】
車両販売会社は、オークション売掛情報または買掛情報が届くと、システム内の売掛、買掛の情報や車両の在庫情報を更新するために、売掛情報または買掛情報に記載されている出品車両或いは落札車両に関する車両属性情報や金額情報等を車両販売システムに入力する。
【０００６】
【発明が解決しようとする課題】
しかしながら、従来の車両販売システムでは出品車両或いは落札車両入力にあたり、各車両毎の情報入力画面をその都度開いて入力する必要があった。
【０００７】
本発明は、前記した事項に鑑みて為されたものであり、車両販売時の売掛情報処理及び買掛情報処理の入力支援を容易且つ正確に行うことができる、売掛情報または買掛情報運用支援技術を提供しようとすることを課題とする。
【０００８】
【課題を解決するための手段】
前記した課題を解決するために、本発明は以下の手段とした。
【０００９】
即ち、販売する車両の車両属性情報に関連付けられた、受取金額情報を含む売掛情報、並びに支払金額情報を含む買掛情報を、当該売掛情報に関連付けられた受取金額変更情報または当該買掛情報に関連付けられた支払金額変更情報を取得し、前記受取金額変更情報または支払金額変更情報に基づいて、当該売掛情報または当該買掛情報を更新するようにした。
【００１０】
前記したような手段によって、本発明は、売掛情報または買掛情報用の入力画面を設けたことによって、オークションの出品車両或いは落札車両の買掛金額及び売掛金額の変更を容易且つ正確に行うことができる、
【発明の実施の形態】
以下、本発明である、売掛情報または買掛情報運用支援方法の一実施の形態を図面を参照しつつ、説明を行う。
【００１１】
なお、本実施の形態は、本発明の売掛情報または買掛情報運用支援方法をコンピュータで実行可能なプログラムとして汎用のコンピュータ等の情報処理装置に導入（インストール）した、売掛情報または買掛情報運用支援装置を一例にして説明を行うものとする。
【００１２】
本実施の形態における売掛情報または買掛情報運用支援装置は、以下に説明するような要素を以て構成されている。図１は、本実施の形態における売掛情報または買掛情報運用支援装置の構成要素を示す概略構成図である。
【００１３】
まず、売掛情報または買掛情報運用支援装置１００には、ＣＰＵ（ｃｅｎｔｒａｌ　ｐｒｏｃｅｓｓｉｎｇ　ｕｎｉｔ）１０１とメインメモリ（ＭＭ）１０２とから構成され、アプリケーションプログラムに基づいて処理を行う、演算処理部１０３が設けられている。
【００１４】
前記演算処理部１０３には、バス１０８を介して、記憶装置１０４が接続される。なお、記憶装置１０４には、通常はハードディスク装置等の大容量記憶媒体を用いる。
【００１５】
そして、前記記憶装置１０４には、本売掛情報または買掛情報運用支援装置１００が正常に機能するために必要なオペレーティングシステム（ＯＳ）がインストールされている。
【００１６】
また、前記記憶装置１０４内には、汎用のアプリケーションプログラムがインストールされている。
【００１７】
さらに、前記記憶装置１０４内には、本発明の売掛情報または買掛情報運用支援方法を実現するために作成された、コンピュータで実行可能な売掛情報または買掛情報運用支援プログラムがインストールされている。
【００１８】
これらのプログラムは、図示しないＣＤ−ＲＯＭ等の記憶媒体に格納されて本売掛情報または買掛情報運用支援装置１００に提供され、図１に示されるＣＤ−ＲＯＭドライブ装置１０９等を通じて、前記記憶装置１０４内に実行可能な状態でインストールされる。
【００１９】
そして、ＣＰＵ１０１が必要に応じて記憶装置１０４内の売掛情報または買掛情報運用支援プログラムをメインメモリ１０２にロード（読み込み）し、順次実行することによって、本実施の形態における売掛情報または買掛情報運用支援装置の金額変更情報取得手段と売掛情報または買掛情報更新手段とを実現している。
【００２０】
また、前記記憶装置１０４内には、本発明におけるデータベースが設けられている。
【００２１】
前記データベース内に格納される情報の一例として、個々の車両に関連付けられた車両属性情報、前記車両の受取金額情報、或いは支払金額情報、或いは売掛情報または買掛情報等が挙げられる。
【００２２】
車両属性情報は、車両販売業者で取り扱う個々の車両に関連付けられたものであり、例えば、車両の名称、年式、型式指定番号、車台番号、ボディ形状、走行距離、損傷の程度、装備品等の情報を含むものである。
【００２３】
受取金額情報は、当該車両を販売したときに顧客側から支払われる金額や車両の引き渡しが完了したものの入金が完了していない所謂売掛金額に関する情報を、車両属性情報に関連付けた情報である。
【００２４】
支払金額情報は、当該車両を仕入れたときに仕入れ先の業者等に支払った金額や車両の引き渡しが完了したものの支払が完了していない所謂買掛金額に関する情報を、車両属性情報に関連付けた情報である。
【００２５】
また、本売掛情報または買掛情報運用支援装置１００の演算処理部１０３には、バス１０８を介して入力手段及び出力手段が接続されている。
【００２６】
以下に、売掛情報または買掛情報運用支援装置１００の入力手段及び出力手段の一例を挙げる。
【００２７】
まず、入力手段として、各種情報を入力するためのキーボード１０７或いはマウス等のポインティングデバイスからなる、各種入力装置がバス１０８を介して演算処理部１０３に接続されている。
【００２８】
また、出力手段として、ディスプレイ１０６或いはプリンタ１０５等の出力装置が、バス１０８を介して演算処理部１０３に接続されている。
【００２９】
次に、本実施の形態における売掛情報または買掛情報運用支援処理の内容を、オークションによる車両販売時における一例について、図面を参照しつつ説明を行う。
【００３０】
図２は、本実施の形態における売掛情報または買掛情報運用支援処理の概略を示す図である。
【００３１】
また、図３は、本実施の形態における売掛情報または買掛情報運用支援処理の手順を示すフローチャートである。
【００３２】
なお、本実施の形態における処理は、マウス等ポインティングデバイス（画像位置指示装置）を用いて車両原価管理装置１００のディスプレイ１０６に表示された画面上の絵や文字を操作しコマンドを入力するＧＵＩ（Ｇｒａｐｈｉｃａｌ　Ｕｓｅｒ　Ｉｎｔｅｒｆａｃｅ）によって実行される場合を一例として説明している。
【００３３】
まず、売掛情報または買掛情報運用支援装置１００は、販売業者がオークションで車両を仕入れたときに、ディスプレイ１０６に表示された車両属性情報入力画面１に基づいて作業員が入力した車両属性情報、前記車両属性情報に関連付けられた受取金額変更情報を含む売掛情報、並びに前記車両属性情報に関連付けられた支払金額変更情報を含む買掛情報を取得しデータベースに格納する（図３におけるステップ１０１、以下Ｓ１０１のように省略する）。
【００３４】
本実施の形態において受取金額情報または支払金額情報に変更を行う場合として、例えばオークションの出品車両或いは落札車両に対する売掛金額や買掛金額の入出金があった場合、または車両販売時の整備費用等の諸費用を支払った場合等、車両の販売価格に各金額を加算するために用いることが考えられる。
【００３５】
本実施の形態における、売掛情報または買掛情報運用支援装置１００のディスプレイ１０６に、売掛情報または買掛情報表示画面２を表示した場合の一例を、図２に示す。
【００３６】
売掛情報または買掛情報表示画面２には、販売業者で保有する販売車両の車両属性情報に関連付けられた、受取金額情報を含む売掛情報、並びに支払金額情報を含む買掛情報が表示されている。
【００３７】
売掛情報または買掛情報運用支援装置１００は販売業者の作業員に対して前記売掛情報または買掛情報の内容確認を促し、売掛情報または買掛情報表示画面２の受取金額情報或いは支払金額情報を変更するか否かを確認する（Ｓ１０２）。なお、金額情報を変更しない場合には、売掛情報または買掛情報運用支援装置１００は処理を終了する。
【００３８】
売掛情報または買掛情報表示画面２の受取金額情報及び支払金額情報を変更する場合に売掛情報または買掛情報運用支援装置１００は、作業員が入力した金額変更情報を取得する（Ｓ１０３）。
【００３９】
本実施の形態における、売掛情報または買掛情報運用支援装置１００が金額変更情報を取得するための画面表示の一例を、図２における受取金額情報変更画面３及び支払金額情報変更画面４で示す。
【００４０】
受取金額情報変更画面３は、車両属性情報に基づいて生成された受取金額情報の金額等の内容を実際の受取金額に対応した内容に変更する場合に販売業者の作業員が用いるものである。
【００４１】
受取金額情報変更画面３には、車両属性情報に対応した当該車両の受取金額情報が表示されている。前記作業員は、売掛情報または買掛情報運用支援装置１００のキーボード１０７や図示しないマウス等のポインティングデバイスを用いて、受取金額情報変更画面３の受取金額情報を変更する。
【００４２】
受取金額情報変更画面３によって受取金額情報の金額変更情報を取得した売掛情報または買掛情報運用支援装置１００は、金額変更情報を取得したことを作業員に通知するための変更確認情報を生成する（Ｓ１０４）。
【００４３】
変更確認情報は、誤って受取金額情報を変更してしまうことがないように、前記作業員に対して受取金額情報の変更確認を促すために生成される情報である。
【００４４】
生成された変更確認情報は、ディスプレイ１０６等から出力されることで前記作業員に通知される。
【００４５】
変更確認情報を確認した前記作業員は、売掛情報または買掛情報運用支援装置１００に対して受取金額情報の変更を了承するための変更了承情報を入力する。
【００４６】
売掛情報または買掛情報運用支援装置１００は、前記変更了承情報を取得する（Ｓ１０５）。
【００４７】
変更了承情報及び金額変更情報を取得した売掛情報または買掛情報運用支援装置１００は、受取金額情報の変更を実施する（Ｓ１０６）。
【００４８】
受取金額情報の変更を実施した後、売掛情報または買掛情報の受取金額情報を変更することで売掛情報または買掛情報表示画面２の受取金額情報は変更される。
【００４９】
受取金額情報を変更する場合と同様に、売掛情報または買掛情報運用支援装置１００は支払金額情報を変更することもできる。
【００５０】
支払金額情報変更画面４は、車両属性情報に基づいて生成された支払金額情報の金額等の内容を実際の受取金額に対応した内容に変更する場合に販売業者の作業員が用いるものである。
【００５１】
支払金額情報変更画面４には、車両属性情報に対応した当該車両の支払金額情報が表示されている。前記作業員は売掛情報または買掛情報運用支援装置１００のキーボード１０７や図示しないマウス等のポインティングデバイスを用いて、支払金額情報変更画面４の支払金額情報を変更する。
【００５２】
支払金額情報変更画面４によって支払金額情報の金額変更情報を取得した売掛情報または買掛情報運用支援装置１００は、金額変更情報を取得したことを作業員に通知するための変更確認情報を生成する（Ｓ１０４）。
【００５３】
変更確認情報は、誤って支払金額情報を変更してしまうことがないように、前記作業員に対して支払金額情報の変更確認を促すために生成される情報である。
【００５４】
生成された変更確認情報は、ディスプレイ１０６等から出力されることで前記作業員に通知される。
【００５５】
変更確認情報を確認した前記作業員は、売掛情報または買掛情報運用支援装置１００に対して支払金額情報の変更を了承するための変更了承情報を入力する。
【００５６】
売掛情報または買掛情報運用支援装置１００は、前記変更了承情報を取得する（Ｓ１０５）。
【００５７】
変更了承情報及び金額変更情報を取得した売掛情報または買掛情報運用支援装置１００は、受取金額情報の変更を実施する（Ｓ１０６）。
【００５８】
支払金額情報の変更を実施した後、売掛情報または買掛情報の支払金額情報を変更することで売掛情報または買掛情報表示画面２の支払金額情報は変更される。
【００５９】
また、本実施の形態の売掛情報または買掛情報運用支援装置１００において、受取金額情報及び支払金額情報に基づいて、販売する車両に関する入金実績や売掛金額を示す入金一覧表画面５及び販売する車両に関する支払い実績や買掛金額を示す支払一覧表画面６を生成することも可能である。
【００６０】
また、本実施の形態の売掛情報または買掛情報運用支援装置１００において、販売する車両の車両属性情報を格納したデータベースから、様々な条件に基づく車両属性情報を索出することも可能である。
【００６１】
図４は、本実施の形態の売掛情報または買掛情報運用支援装置１００における、車両属性情報索出時の車両属性情報索出画面７及び索出条件入力画面８の一例を示す図である。
【００６２】
車両属性情報索出画面７には、索出条件入力画面８に入力された索出条件に基づいて索出された車両属性情報が表示されている。
【００６３】
索出条件入力画面８に入力できる車両属性情報の索出条件は、例えば新車・中古車の区分、メーカ名、車種名、オークションへの出品の有無、或いは車体番号などが挙げられる。
【００６４】
また、本実施の形態の売掛情報または買掛情報運用支援装置１００において、販売する車両に関する仕入れ時の支払金額情報の一覧表を、仕入れ原価情報一覧表画面９として出力することも可能である。
【００６５】
図５は、仕入れ原価情報一覧表画面９をディスプレイ１０６等の出力手段から出力した場合の一例を示している。
【００６６】
仕入れ原価情報一覧表画面９には、車両属性情報の表示部９ａの他に、仕入れ原価情報表示部９ｂが設けられている。この仕入れ原価情報表示部９ｂを参照することによって、販売業者の作業員は車両の仕入れ原価情報に基づいた適切な販売価格を決定することができる。
【００６７】
〔その他の実施形態〕
なお、本発明の売掛情報または買掛情報運用支援方法は、本実施の形態にのみ限定されるものではなく、本発明の要旨を逸脱しない範囲内において種々変更を加え得ることは勿論である。
【００６８】
例えば以下の各項に示した構成であっても前記の実施形態と同様の効果が得られる。
【００６９】
〔付記１〕
販売する車両の車両属性情報に関連付けられた、受取金額情報を含む売掛情報、並びに支払金額情報を含む買掛情報を格納したデータベースに接続可能なコンピュータが実行する方法であって、
当該売掛情報に関連付けられた受取金額変更情報または当該買掛情報に関連付けられた支払金額変更情報を取得するステップと、
前記受取金額変更情報または前記支払金額変更情報に基づいて、当該売掛情報または当該買掛情報を更新するステップとをコンピュータが実行する、売掛情報または買掛情報運用支援方法。
【００７０】
〔付記２〕
販売する車両の車両属性情報に関連付けられた、受取金額情報を含む売掛情報、並びに支払金額情報を含む買掛情報を格納したデータベースに接続可能なコンピュータに実行させるプログラムであって、
当該売掛情報に関連付けられた受取金額変更情報または当該買掛情報に関連付けられた支払金額変更情報を取得するステップと、
前記受取金額変更情報または前記支払金額変更情報に基づいて、当該売掛情報または当該買掛情報を更新するステップとをコンピュータに実行させる、コンピュータで実行可能な売掛情報または買掛情報運用支援プログラム。
【００７１】
〔付記３〕
販売する車両の車両属性情報に関連付けられた、受取金額情報を含む売掛情報、並びに支払金額情報を含む買掛情報を格納したデータベースに接続可能な売掛情報または買掛情報運用支援装置であって、
当該売掛情報に関連付けられた受取金額変更情報または当該買掛情報に関連付けられた支払金額変更情報を取得するための金額変更情報取得手段と、
前記受取金額変更情報または支払金額変更情報に基づいて、当該売掛情報または当該買掛情報を更新するための売掛情報または買掛情報更新手段とからなる、売掛情報または買掛情報運用支援装置。
【００７２】
本発明において、以上の各構成要素は、可能な限り組み合わせることができる。
【００７３】
【発明の効果】
以上、説明したように本発明の売掛情報または買掛情報運用支援方法によれば、車両販売時の売掛情報処理及び買掛情報処理の入力支援を容易且つ正確に行うことができる、という優れた効果を奏し得る。
【図面の簡単な説明】
【図１】本発明の一実施の形態における売掛情報または買掛情報運用支援装置の構成要素を示す概略構成図。
【図２】本実施の形態における売掛情報または買掛情報運用支援処理の概略を示す図。
【図３】本実施の形態における売掛情報または買掛情報運用支援処理の手順を示すフローチャート。
【図４】本実施の形態の売掛情報または買掛情報運用支援装置における、車両属性情報索出時の車両属性情報索出画面及び索出条件入力画面の一例を示す図。
【図５】本実施の形態における仕入れ原価情報一覧表画面をディスプレイ等の出力手段から出力した場合の一例を示す図。
【符号の説明】
１　車両属性情報入力画面
２　売掛情報または買掛情報表示画面
３　受取金額情報変更画面
４　支払金額情報変更画面
５　入金一覧表画面
６　支払一覧表画面
７　車両属性情報索出画面
８　索出条件入力画面
９　原価情報一覧表画面
９ａ　車両属性情報表示部
９ｂ　原価情報表示部
１００　売掛情報または買掛情報運用支援装置
１０１　ＣＰＵ
１０２　メインメモリ
１０３　演算処理部
１０４　記憶装置
１０５　プリンタ
１０６　ディスプレイ
１０７　キーボード
１０８　バス
１０９　ＣＤ−ＲＯＭドライブ装置
【図１】
2004030508.tif 000003
【図２】
2004030508.tif 000004
【図３】
2004030508.tif 000005
【図４】
2004030508.tif 000006
【図５】
2004030508.tif 000007